(57)【要約】【課題】ロッカーアームに用いることができる軸受において、ラジアル荷重を支持する機能を損なうことなく、構成の簡素化を図る。【解決手段】第一の範囲は周方向の最も一方向側の第一ころの中心軸から周方向の最も他方側の第一ころの中心軸までの仮想円筒面上の周方向の範囲であり、第二の範囲は第一の範囲と反対側の範囲であって、周方向の最も一方向側の第二ころの中心軸から仮想円筒面の中心軸を中心とする周方向の最も他方側の第二ころの中心軸までの仮想円筒面上の周方向の範囲であり、第三の範囲は第一の範囲の周方向一方側と第二の範囲との間の仮想円筒面上の周方向の範囲であり、第四の範囲は第一の範囲の周方向他方側と第二の範囲との間の仮想円筒面上の周方向の範囲であり、第三の範囲と第四の範囲の長さは第一の範囲の隣接する二つのころの中心軸の長さよりも長い。【選択図】      図３
2020003044.tif 000002
【特許請求の範囲】
【請求項１】
三個以上の複数のころと、前記複数のころを保持する保持器と、を備えた軸受において、
前記保持器は、全ての前記複数のころの中心軸を含む仮想円筒面に沿った形状を有し、
前記仮想円筒面は第一の範囲と、第二の範囲と、第三の範囲と、第四の範囲とを有し、
前記第一の範囲は、
前記複数のころのうちの一部である複数の第一ころの中心軸が配設され、前記仮想円筒面の中心軸を中心とする周方向の最も一方向側の当該第一ころの中心軸から前記仮想円筒面の中心軸を中心とする周方向の最も他方側の当該第一ころの中心軸までの前記仮想円筒面上の周方向の範囲であり、
前記第二の範囲は、
前記仮想円筒面の中心軸を基準として前記第一の範囲と反対側の範囲であって、前記複数のころのうちの他部である一つまたは複数の第二ころの中心軸が配設され、前記仮想円筒面の中心軸を中心とする周方向の最も一方向側の当該第二ころの中心軸から前記仮想円筒面の中心軸を中心とする周方向の最も他方側の当該第二ころの中心軸までの前記仮想円筒面上の周方向の範囲であり、
前記第三の範囲は、
前記第一の範囲の周方向一方側と前記第二の範囲との間であって前記ころの中心軸が配設されていない前記仮想円筒面上の周方向の範囲であり、
前記第四の範囲は、
前記第一の範囲の周方向他方側と前記第二の範囲との間であって前記ころの中心軸が配設されていない前記仮想円筒面上の周方向の範囲であり、
前記第三の範囲の前記仮想円筒面上の周方向の長さと、前記第四の範囲の前記仮想円筒面上の周方向の長さと、は、前記第一の範囲の隣接する二つの前記第一ころの中心軸の前記仮想円筒面上の周方向の長さよりも長い、
軸受。
【請求項２】
前記ころが転がり接触する軌道面を内周に有する外輪を、更に備え、
前記保持器は、周方向の一部に軸方向に貫通したスリットが形成されることで軸方向視においてＣ形であり、
前記外輪は、前記スリットの形成位置に設けられ前記保持器が保持器中心軸回りに回転すると当該保持器の一部が接触するストッパ部を有する、
請求項１に記載の軸受。
【請求項３】
前記ころが転がり接触する軌道面を内周に有すると共に、径方向内方へ向かって突出するつばを当該軌道面の軸方向両側に有する外輪を、更に備え、
前記保持器は、周方向の一部に軸方向に貫通したスリットが形成されることで軸方向視においてＣ形であり、
前記保持器に前記保持器を縮径する外力を付与していない状態において前記複数のころの外接円の直径は前記つばの内接円の直径よりも大きく、
前記保持器に前記保持器を縮径する外力を付与すると前記複数のころの外接円の直径は前記つばの内接円の直径よりも小さくすることができる、
請求項１又は２に記載の軸受。
【請求項４】
前記ころが転がり接触する軌道面を内周に有すると共に、当該軌道面の軸方向両側に径方向内方へ向かって突出するつばを有する外輪を、更に備え、
前記保持器は、周方向の一部に軸方向に貫通したスリットが形成されることで軸方向視においてＣ形であり、
前記保持器に前記保持器を縮径する外力を付与していない状態において前記保持器の外接円の直径は前記つばの内接円の直径よりも大きく、
前記保持器に前記保持器を縮径する外力を付与すると前記保持器の外接円の直径は前記つばの内接円の直径よりも小さくすることができる、
請求項１又は２に記載の軸受。
【請求項５】
前記仮想円筒面の中心軸に垂直な断面において、前記第一の範囲の前記仮想円筒面の中心軸を中心とする周方向の最も一方向側の前記ころの中心軸と、前記第一の範囲の前記仮想円筒面の中心軸を中心とする周方向の最も他方側の前記ころの中心軸と、前記第二の範囲の前記仮想円筒面の中心軸を中心とする周方向の最も一方向側の前記ころの中心軸と前記第二の範囲の前記仮想円筒面の中心軸を中心とする周方向の最も他方側の前記ころの中心軸との間の前記仮想円筒面上に存在する位置である第一の位置と、を結ぶ仮想三角形を、前記仮想円筒面の中心軸が貫通するように、前記複数のころは配置される、
請求項１〜４のいずれか一項に記載の軸受。
【請求項６】
ロッカーシャフトを挿通させる貫通孔が形成された胴体と、前記胴体の一部に設けられたローラと、前記胴体の他部に設けられた接触体と、前記貫通孔と前記ロッカーシャフトとの間に設けられる軸受と、を備え、
前記軸受は、請求項１〜５のいずれか一項に記載の軸受である、
ロッカーアーム。
【発明の詳細な説明】
【技術分野】
【０００１】
本発明は、軸受及びロッカーアームに関する。
【背景技術】
【０００２】
図１０は、ロッカーアームの側面図である。ロッカーアーム９０は、回転するカム９９によって中心軸Ｃ０を中心として揺動し、この揺動によって図外のシリンダヘッドに設けられた弁の開閉を行なう。ロッカーアーム９０は、ロッカーシャフト９１に支持される胴体９２と、胴体９２の一部に設けられたローラ９３と、胴体９２の他部に設けられた接触体（アジャストボルト）９４とを備える。ローラ９３はカム９９に接触し、接触体９４は前記弁の端部９８に接触する。
【０００３】
胴体９２には、貫通孔９５が設けられており、この貫通孔９５をロッカーシャフト９１が挿通する。貫通孔９５とロッカーシャフト９１との間に軸受９６が設けられる。軸受９６によってロッカーアーム９０は滑らかに揺動自在となる。軸受９６には、図１０の矢印Ｆで示されるように胴体９２から一方向のラジアル荷重が作用する。従来、軸受９６として滑り軸受が採用されている。しかし、摩擦抵抗を低減して揺動の応答性を向上させるために、複数のころを含む軸受が採用されている（例えば、特許文献１参照）。
【先行技術文献】
【特許文献】
【０００４】
【特許文献１】特開２００２−４７９０３号公報
【発明の概要】
【発明が解決しようとする課題】
【０００５】
ロッカーアーム９０において軽量化及びコスト低減が要求されている。このため、ロッカーアーム９０の構成部材である軸受９６の簡素化が望まれる。なお、構成の簡素化は、ロッカーアーム用の軸受に限らず、他の部品用の軸受においても望まれる。
【０００６】
そこで、本発明は、ロッカーアーム等に用いることができる軸受において、ラジアル荷重を支持する機能を損なうことなく、構成の簡素化を図ることを目的とする。
【課題を解決するための手段】
【０００７】
本発明の軸受は、三個以上の複数のころと、前記複数のころを保持する保持器と、を備えた軸受において、前記保持器は、全ての前記複数のころの中心軸を含む仮想円筒面に沿った形状を有し、前記仮想円筒面は、第一の範囲と、第二の範囲と、第三の範囲と、第四の範囲とを有し、前記第一の範囲は、前記複数のころのうちの一部である複数の第一ころの中心軸が配設され、前記仮想円筒面の中心軸を中心とする周方向の最も一方向側の当該第一ころの中心軸から前記仮想円筒面の中心軸を中心とする周方向の最も他方側の当該第一ころの中心軸までの前記仮想円筒面上の周方向の範囲であり、前記第二の範囲は、前記仮想円筒面の中心軸を基準として前記第一の範囲と反対側の範囲であって、前記複数のころのうちの他部である一つまたは複数の第二ころの中心軸が配設され、前記仮想円筒面の中心軸を中心とする周方向の最も一方向側の当該第二ころの中心軸から前記仮想円筒面の中心軸を中心とする周方向の最も他方側の当該第二ころの中心軸までの前記仮想円筒面上の周方向の範囲であり、前記第三の範囲は、前記第一の範囲の周方向一方側と前記第二の範囲との間であって前記ころの中心軸が配設されていない前記仮想円筒面上の周方向の範囲であり、前記第四の範囲は、前記第一の範囲の周方向他方側と前記第二の範囲との間であって前記ころの中心軸が配設されていない前記仮想円筒面上の周方向の範囲であり、前記第三の範囲の前記仮想円筒面上の周方向の長さと、前記第四の範囲の前記仮想円筒面上の周方向の長さと、は、前記第一の範囲の隣接する二つの前記第一ころの中心軸の前記仮想円筒面上の周方向の長さよりも長い。
【０００８】
前記軸受が設置される部品（例えば、ロッカーアーム）が小さく揺動し、当該部品から軸受にラジアル荷重が作用する場合、前記第一の範囲及び前記第二の範囲が前記ラジアル荷重の作用線を跨ぐようにして、軸受を当該部品に配置することで、軸受は前記ラジアル荷重を支持することができる。そして、揺動の角度が小さいため、軸受にラジアル荷重が作用する範囲は狭い。よって、この範囲以外に、前記第三の範囲及び前記第四の範囲が含まれるようにすればよい。以上より、前記軸受によれば、ころの数を低減して構成の簡素化が可能であり、ころが設けられていない領域（第三の範囲及び第四の範囲）が存在していても、ラジアル荷重を支持することが可能となる。
【０００９】
また、前記軸受は、前記ころが転がり接触する軌道面を内周に有する外輪を、更に備え、前記保持器は、周方向の一部に軸方向に貫通したスリットが形成されることで軸方向視においてＣ形であり、前記外輪は、前記スリットの形成位置に設けられ前記保持器が保持器中心軸回りに回転すると当該保持器の一部が接触するストッパ部を有するのが好ましい。この軸受によれば、外輪に対する保持器の周方向の変位が制限される。このため、保持器に回転力が作用しても、軸受はラジアル荷重を支持し続ける。
【００１０】
また、前記軸受は、前記ころが転がり接触する軌道面を内周に有すると共に、径方向内方へ向かって突出するつばを当該軌道面の軸方向両側に有する外輪を、更に備え、前記保持器は、周方向の一部に軸方向に貫通したスリットが形成されることで軸方向視においてＣ形であり、前記保持器に前記保持器を縮径する外力を付与していない状態において前記複数のころの外接円の直径は前記つばの内接円の直径よりも大きく、前記保持器に前記保持器を縮径する外力を付与すると前記複数のころの外接円の直径は前記つばの内接円の直径よりも小さくすることができることが好ましい。この構成によれば、複数のころをポケットに収容した保持器（以下、「保持器付きころ」とも称する）を、スリットを狭くするように弾性変形させることで、軸方向から外輪の内側に挿入して組み立てることができる。
前記保持器の周方向の一方向側の端面と周方向の他方向側の端面とを接近させることが好ましい。このようにして組み立てられた軸受では、つばによって保持器付きころが外輪から軸方向に脱落しない。
【００１１】
また、前記軸受は、前記ころが転がり接触する軌道面を内周に有すると共に、当該軌道面の軸方向両側に径方向内方へ向かって突出するつばを有する外輪を、更に備え、前記保持器は、周方向の一部に軸方向に貫通したスリットが形成されることで軸方向視においてＣ形であり、前記保持器に前記保持器を縮径する外力を付与していない状態において前記保持器の外接円の直径は前記つばの内接円の直径よりも大きく、前記保持器に前記保持器を縮径する外力を付与すると前記保持器の外接円の直径は前記つばの内接円の直径よりも小さくすることができることが好ましい。スリットが狭くなるように保持器を弾性変形させることで、この保持器を軸方向から外輪の内側に挿入することができる。前記保持器の周方向の一方向側の端面と周方向の他方向側の端面とを接近させることが好ましい。その後、保持器のポケットにころを収容する。このようにして組み立てられた軸受では、複数のころをポケットに収容した保持器が、つばによって外輪から軸方向に脱落しない。
【００１２】
また、前記仮想円筒面の中心軸に垂直な断面において、前記第一の範囲の前記仮想円筒面の中心軸を中心とする周方向の最も一方向側の前記ころの中心軸と、前記第一の範囲の前記仮想円筒面の中心軸を中心とする周方向の最も他方側の前記ころの中心軸と、前記第二の範囲の前記仮想円筒面の中心軸を中心とする周方向の最も一方向側の前記ころの中心軸と前記第二の範囲の前記仮想円筒面の中心軸を中心とする周方向の最も他方側の前記ころの中心軸との間の前記仮想円筒面上に存在する位置である第一の位置と、を結ぶ仮想三角形を、前記仮想円筒面の中心軸が貫通するように、前記複数のころは配置される構成とすることができる。この構成により、軸受はラジアル荷重を安定して支持することができる。なお、第二の範囲のころが一つの場合、前記第二の範囲の前記仮想円筒面の中心軸を中心とする周方向の最も一方向側のころと前記第二の範囲の前記仮想円筒面の中心軸を中心とする周方向の最も他方側のころとが同一であるためこのころ中心軸が第二の範囲となり、第一の位置となる。
【００１３】
本発明のロッカーアームは、ロッカーシャフトを挿通させる貫通孔が形成された胴体と、前記胴体の一部に設けられたローラと、前記胴体の他部に設けられた接触体と、前記貫通孔と前記ロッカーシャフトとの間に設けられる前記軸受と、を備える。このロッカーアームによれば、軸受において、ラジアル荷重を支持する機能を損なうことなく、構成の簡素化が可能となる。
【発明の効果】
【００１４】
本発明の軸受によれば、ラジアル荷重を支持する機能を損なうことなく、構成の簡素化が可能となる。
本発明のロッカーアームによれば、軸受の構成が簡素化され、ロッカーアーム全体としての構成が簡素化される。
【図面の簡単な説明】
【００１５】
【図１】ロッカーアームの一例を示す側面図である。
【図２】軸受の一例を示す斜視図である。
【図３】複数のころと保持器との斜視図である。
【図４】外輪の斜視図である。
【図５】軸受を軸方向から見た説明図である。
【図６】軸受を他の方向から見た場合の斜視図である。
【図７】ストッパ部における軸受の断面図である。
【図８】保持器及び外輪を軸方向から見た説明図である。
【図９】保持器付きころ及び外輪を軸方向から見た説明図である。
【図１０】従来のロッカーアームの側面図である。
【発明を実施するための形態】
【００１６】
図１は、ロッカーアーム５０の一例を示す側面図である。ロッカーアーム５０は、回転するカム５９によってロッカーアーム５０の中心軸Ｃ０を中心として揺動し、この揺動によって図外のシリンダヘッドに設けられた弁の開閉を行なう。ロッカーアーム５０は、ロッカーシャフト５１に支持される胴体５２と、胴体５２の一部に設けられたローラ５３と、胴体５２の他部に設けられた接触体（アジャストボルト）５４とを備える。ローラ５３は、支持軸５７により支持されており、カム５９に接触する。接触体５４は前記弁の端部５８に接触する。胴体５２には、貫通孔５５が形成されており、この貫通孔５５をロッカーシャフト５１が挿通する。貫通孔５５とロッカーシャフト５１との間に軸受１０が設けられ、軸受１０によってロッカーアーム５０がロッカーシャフト５１に対して揺動自在となる。ロッカーアーム５０の揺動角度は小さく（例えば±２０°）、軸受１０には、図１の矢印Ｆで示されるように胴体５２から一方向のラジアル荷重（図１では下から上に向かうラジアル荷重）が作用する。
【００１７】
図２は、軸受１０の一例を示す斜視図である。この軸受１０は、複数のころ（針状ころ）１１と、これら複数のころ１１を保持する保持器１２と、外輪１３とを備える。図３は、複数のころ１１と保持器１２との斜視図である。図４は、外輪１３の斜視図である。図３に示される複数のころ１１と保持器１２とのユニットを「保持器付きころ１４」と称する。
【００１８】
ころ１１は、針状ころである。本実施形態の軸受１０は、全部で六個のころ１１を備える。なお、ころ１１の数は軸受１０の大きさに応じて変更可能である。ころ１１及び外輪１３は金属製（鋼製）である。保持器１２は金属製であってもよく樹脂製であってもよい。
【００１９】
保持器１２は、複数（六個）のころ１１を保持する。本実施形態の保持器１２は（図３参照）、Ｃ形である一対のリム部１５と、一対のリム部１５を繋ぐ複数の柱１６とを有する。複数のころ１１の外周面を後述する外輪１３の内周の軌道面１９に接して配設した時の全ての複数のころ１１の各中心軸を含む円筒面を仮想円筒面Ｍとする。リム部１５及び柱１６が仮想円筒面Ｍに沿って配置されることで、保持器１２は仮想円筒面Ｍに沿った形状を有する。保持器１２は、ころ１１を保持するために、仮想円筒面Ｍに沿って複数のポケット１７を有する。ポケット１７は、保持器１２の周方向に沿って等間隔で設けられている。ポケット１７は一対のリム部１５と隣接する柱１６とで囲まれた空間である。
【００２０】
仮想円筒面Ｍの中心軸Ｃ０は、ロッカーアーム５０の中心軸Ｃ０と略同一である。保持器１２にころ１１を組み込んで、外輪１３にころ１１を接して配設した時、保持器１２の中心軸Ｃ１は、仮想円筒面Ｍの中心軸Ｃ０に一致させることができる。仮想円筒面Ｍの中心軸Ｃ０に沿った方向が「仮想円筒面Ｍの中心軸Ｃ０の軸方向」であり、単に「軸方向」と称する。本発明では「軸方向」に仮想円筒面Ｍの中心軸Ｃ０に平行な方向も含まれるものとする。仮想円筒面Ｍの中心軸Ｃ０に直交する方向が「仮想円筒面Ｍの中心軸Ｃ０の径方向」であり、単に「径方向」と称する。仮想円筒面Ｍの中心軸Ｃ０を中心として仮想円筒面Ｍに沿った方向が「仮想円筒面Ｍの中心軸Ｃ０の周方向」であり、単に「周方向」と称する。軸受１０が胴体５２（図１参照）に組み付けられたロッカーアーム５０において、保持器中心軸Ｃ１は、ロッカーアーム５０の中心軸Ｃ０と一致させることができる。
【００２１】
図３に示されるように、保持器１２は、全体として円筒状ではない。保持器１２は、前記のとおりＣ形である一対のリム部１５を有することから、周方向の一部に軸方向に貫通したスリット１８が形成された形状となり、軸方向視においてＣ形となる。保持器中心軸Ｃ１を仮想円筒面Ｍの中心軸Ｃ０に一致させたとき、スリット１８の仮想円筒面Ｍ上の周方向の長さｅ１は、後述する第一の範囲のＫ１の隣接するころ１１の中心軸の仮想円筒面Ｍ上の周方向の長さｅ２よりも長い。本実施形態では、スリット１８の仮想円筒面Ｍ上の周方向の長さｅ１は、二つのポケット１７と一つの柱１６とを合わせた仮想円筒面Ｍ上の周方向の長さｅ３と略等しい。なお、スリット１８を除いた保持器１２の実質的な周方向（つまり、仮想円筒面Ｍに沿った周方向）の長さに関しては、後にも説明する。
【００２２】
軸方向に離れて配置された一対のリム部１５の間であって、周方向で隣り合う柱１６の間に、ころ１１を収容するポケット１７が形成される。ポケット１７は、周方向に沿って複数形成されているが、全てのポケット１７にころ１１が収容されていない。つまり、ころ１１が収容されているポケット１７（１７ａ）と、ころ１１が収容されていないポケット１７（１７ｂ）とが存在する。本実施形態では（図５参照）、保持器１２に、ポケット１７が十二箇所形成されているのに対して、六箇所のポケット１７にのみ、ころ１１が収容されている。六個のころ１１のうち、五個のころ１１が周方向に連続する五箇所のポケット１７（１７ａ）に収容されている。六個のころ１１のうち、残りの一個のころ１１が、五個のころ１１と周方向に離れて一箇所のポケット１７（１７ａ）に収容されている。五個のころ１１が収容されているポケット１７ａに収容されたころ１１のうち、仮想円筒面Ｍに垂直な断面における、周方向の最も一方向側のころ１１の中心軸と、周方向の最も他方向側のころ１１の中心軸と、の間の仮想円筒面Ｍ上の範囲であって、周方向の最も一方向側のころ１１と周方向の最も他方向側のころ１１との間に五個のころ１１のうちの周方向の最も一方向側のころ１１と周方向の最も他方向側のころ１１とではないころ１１が入っている側の範囲が第一の範囲Ｋ１である。仮想円筒面Ｍに垂直な断面における、残りの一個のころ１１が収容されているポケット１７ａに収容されたころ１１の中心軸が第二の範囲Ｋ２であり、第一の位置である。第二の範囲Ｋ２は、仮想円筒面Ｍの中心軸Ｃ０を基準として第一の範囲Ｋ１と反対側の範囲である。
【００２３】
第一の範囲Ｋ１の周方向一方側と第二の範囲Ｋ２との間が第三の範囲Ｋ３であり、この第三の範囲Ｋ３には、ころ１１が設けられていない。第一の範囲Ｋ１の周方向他方側と第二の範囲Ｋ２との間が第四の範囲Ｋ４であり、この第四の範囲Ｋ４には、ころ１１が設けられていない。
【００２４】
第一の範囲Ｋ１に中心軸が配置されるころ１１（「第一ころ１１ａ」ともいう）の数は、五個以外の複数個であってもよく、また、第二の範囲Ｋ２に配置されるころ１１（「第二ころ１１ｂ」ともいう）の数は、一個以外の複数個であってもよい。第二の範囲Ｋ２には、少なくとも一個のころ（第二ころ１１ｂ）が設けられていればよい。第一ころ１１ａの数の方が第二ころ１１ｂの数よりも多い方が好ましい。ポケット１７の数も変更可能である。すなわち、保持器１２のポケットは、第一の範囲Ｋ１に中心軸が配置される全てのころ１１ａを収容し、第二の範囲Ｋ２に中心軸が配置される全てのころ１１ｂを収容すればよい。第一の範囲Ｋ１に中心軸が配置されるころ１１ａに対応して、全て（六個）のころ１１のうちの一部である全ての第一ころ１１ａをそれぞれ収容するポケット１７ａが設けられている。第二の範囲Ｋ２に中心軸が配置されるころ１１ｂに対応して、全て（六個）のころ１１のうちの他部である第二ころ１１ｂを収容するポケット１７ａが設けられている。そして、第三の範囲Ｋ３及び第四の範囲Ｋ４には、ころ１１が設けられてなく、保持器のポケット１７にころ１１が収容されていない。
【００２５】
本実施形態では、第三の範囲Ｋ３及び第四の範囲Ｋ４はそれぞれ周方向の仮想円筒面Ｍ上の周方向の長さが第二の範囲Ｋ２の周方向の仮想円筒面Ｍ上の周方向の長さよりも長い。第三の範囲Ｋ３に前記スリット１８が含まれる。第三の範囲Ｋ３の仮想円筒面Ｍ上の周方向の長さｅ４は、少なくとも第一の範囲Ｋ１の隣接するころ１１ａ中心軸の仮想円筒面Ｍ上の周方向の長さｅ２よりも長い。第四の範囲Ｋ４の仮想円筒面Ｍ上の周方向の長さｅ５は、少なくとも第一の範囲Ｋ１の隣接するころ１１ａ中心軸の仮想円筒面Ｍ上の周方向の長さｅ２より長い。
【００２６】
ころ１１の配置について説明する。軸受１０を軸方向から見た場合において（図５参照）、第一の範囲Ｋ１の周方向両側（周方向両側の最も端）にある二つのころ１１，１１それぞれの中心軸Ｕ１，Ｕ２と、第二の範囲Ｋ２のころの中心軸Ｕ３とを結ぶ仮想三角形Ｑを、仮想円筒面Ｍの中心軸Ｃ０が貫通するように、複数（六個）のころ１１は配置されている。なお、本実施形態では、第二の範囲Ｋ２に、ころ１１が一個しか設けられていないことから、この一個のころ１１の中心軸が「第二の範囲Ｋ２の第一の位置」となる。また、第二の範囲Ｋ２に複数のころ１１が設けられる場合、第二の範囲Ｋ２の仮想円筒面上に存在する位置が「第二の範囲Ｋ２の第一の位置」となる。更に、本実施形態では、図５に示されるように、軸方向視において、第一の範囲Ｋ１の周方向の中央Ｐ１と、第二の範囲Ｋ２の周方向の中央Ｐ２とを結ぶ直線Ｌ１上に、仮想円筒面Ｍの中心軸Ｃ０が位置する。
【００２７】
図４に示されるように、外輪１３は、ころ１１が転がり接触する軌道面１９を内周に有する。なお、本実施形態では、軸受１０が外嵌する軸（ロッカーシャフト５１、図１参照）の外周面に、ころ１１が転がり接触する内側の軌道面２０が形成される。図４において、外輪１３は、軌道面１９を有する円筒部２２と、軌道面１９の軸方向両側に設けられたつば２１とを有する。つば２１は、円環状であり、円筒部２２の軸方向端部から径方向内方へ向かって突出する。例えば、外輪１３となる鋼材（鋼板）をプレスにより塑性変形させることで、円筒部２２とつば２１とが形成される。つば２１の内径Ｄ２は、保持器１２の外径Ｄ１（図５参照）よりも小さい。このため、保持器１２が軸方向に移動すると、保持器１２（リム部１５）がつば２１に接触し、保持器１２が外輪１３から脱落しない。
【００２８】
外輪１３は、ストッパ部２３を有する。図６に示されるように、保持器付きころ１４が外輪１３の内周側に設けられた組立状態で、ストッパ部２３は、保持器１２のスリット１８の形成位置に設けられる。保持器１２がロッカーアーム５０の中心軸Ｃ０回りに回転すると、ストッパ部２３に、保持器１２の一部（リム部１５の周方向の端部２４）が接触する。本実施形態では、一方のつば２１にストッパ部２３が設けられている。
【００２９】
ストッパ部２３は、つば２１（円筒部２２）と別体であってもよいが、本実施形態では、つば２１の一部を塑性変形させた塑性変形部２５により構成される。図７は、ストッパ部２３（塑性変形部２５）における軸受１０の断面図である。図７に示されるように、つば２１の一部を、保持器１２のスリット１８側となる内側へ折り曲げることで塑性変形部２５が得られ、この塑性変形部２５がストッパ部２３となる。図６において、ストッパ部２３の仮想円筒面Ｍ上の周方向の長さｅ７は、スリット１８の仮想円筒面Ｍ上の周方向の長さｅ８から、揺動運動寸法ｅ９と、余裕寸法ｅ１０とを除いた値（ｅ７＝ｅ８−ｅ９−ｅ１０）に設定される。揺動運動寸法ｅ９とは、ロッカーアーム５０の中心軸Ｃ０（仮想円筒面Ｍの中心軸）を中心とした劣弧の仮想円筒面Ｍ上の周方向の長さであり、その劣弧のロッカーアーム５０の中心軸Ｃ０を中心とする中心角である揺動角は、ころ径をＤａ、ころＰＣＤ（仮想円筒面Ｍの直径）をｄｍ、としたとき、外輪の回転速度ｎｅに対する保持器の回転速度ｎｃが、外輪の回転角度θＯに対する保持器の回転角度θＣに相当することから、θＣ＝（１＋（１／（ｄｍ／Ｄａ）））×（θＯ／２）で表され、例えば外輪の揺動角の５０〜７０％の角度である。ロッカーアーム５０の揺動運動の角度は小さく一定であり、この角度に相当するロッカーアーム５０の中心軸（仮想円筒面Ｍの中心軸）Ｃ０を中心とする揺動幅が、前記揺動運動寸法ｅ９となる。余裕寸法ｅ１０は、例えば、前記揺動運動寸法ｅ９の５％以上であり１０％以下の値とすることができる。
【００３０】
スリット１８を除いた保持器１２の実質的な周方向の寸法について説明する。図８は、保持器１２及び外輪１３を軸方向から見た説明図である。軸方向視においてＣ形である保持器１２の外周側の円弧の仮想円筒面Ｍ上の周方向の長さｅ１１は、つば２１の内接円Ｓの円周の仮想円筒面Ｍ上の周方向の長さｅ１２よりも短い。保持器１２に保持器１２を縮径する外力を付与していない状態において複数のころ１１の外接円の直径は、つば２１の内接円の直径よりも大きい。保持器１２に保持器１２を縮径する外力を付与した状態において複数のころ１１の外接円の直径は、つば２１の内接円の直径よりも小さい。保持器１２は縮径するように外力を与えると縮径し、この縮径した状態から外力を除くと拡径して元の状態に戻る。Ｃ形である保持器１２の周方向の一方向側の端面と周方向の他方向側の端面とを接近させたときの仮想円筒面の中心軸Ｃ０に垂直な断面における保持器１２の外接円の直径は、仮想円筒面の中心軸Ｃ０に垂直な断面における前記つばの内接円の直径よりも小さい。なお、本実施形態では、つば２１は円環状であるため、つば２１の内周面が前記内接円Ｓと一致する。このように保持器１２の円弧の仮想円筒面Ｍ上の周方向の長さｅ１１が設定されることで、次のようにして軸受１０を組み立てることができる。すなわち、図８の二点鎖線で示されるように、スリット１８を狭くするように保持器１２を弾性変形させる（縮径させる）。その保持器１２を軸方向から外輪１３に接近させ、つば２１の内周側を越えて外輪１３（円筒部２２）の内側に挿入する。この際、弾性変形させた保持器１２は、つば２１の内周面（前記内接円Ｓ）よりも小さい輪郭形状となる。保持器１２は、つば２１を通過すると、保持器１２の弾性復元力によって元の状態に戻る。その後、保持器１２のポケット１７にころ１１を収容する。このようにして組み立てられた軸受１０では、保持器付きころ１４が外輪１３から軸方向に脱落するのを、つば２１によって防止することができる。このように組み立てを行なう場合、スリット１８の寸法ｅ８は、保持器１２の外径Ｄ１からつば２１の内径Ｄ２を除算した値よりも大きく設定される（ｅ８＞Ｄ１−Ｄ２）。
【００３１】
軸受１０の組み立ては別の方法であってもよい。つまり、外輪１３の外側において、保持器１２にころ１１を組み付けてから、保持器付きころ１４を、外輪１３に軸方向から接近させ、円筒部２２の内周側に組み付けてもよい。この場合、スリット１８を除いた保持器付きころ１４の実質的な周方向の寸法は、次のように設定される。図９は、保持器付きころ１４及び外輪１３を軸方向から見た説明図である。ポケット１７に収容された複数（六個）のころ１１の外接円Ｔのうちの、軸方向視においてＣ形である保持器１２に相当する範囲の円弧の仮想円筒面Ｍ上の周方向の長さｅ１３は、つば２１の内接円Ｓの円周の仮想円筒面Ｍ上の周方向の長さｅ１２よりも短い。保持器１２に保持器１２を縮径する外力を付与していない状態において保持器１２の外接円の直径は、つば２１の内接円の直径よりも大きい。保持器１２に保持器１２を縮径する外力を付与した状態において保持器１２の外接円の直径は、つば２１の内接円の直径よりも小さい。保持器１２は縮径するように外力を与えると縮径し、この縮径した状態から外力を除くと拡径して元の状態に戻る。Ｃ形である保持器１２の周方向の一方向側の端面と周方向の他方向側の端面とを接近させたときの仮想円筒面の中心軸Ｃ０に垂直な断面における全てのころ１１の外接円の直径は、仮想円筒面の中心軸Ｃ０に垂直な断面における前記つばの内接円の直径よりも小さい。このような円弧の仮想円筒面Ｍ上の周方向の長さｅ１３を有するように保持器１２が設定されることで、次のようにして軸受１０を組み立てることができる。すなわち、図９の二点鎖線で示されるように、保持器付きころ１４を、スリット１８が狭くなるように弾性変形させる（縮径させる）。その保持器付きころ１４を軸方向から外輪１３に接近させ、つば２１の内周側を越えて外輪１３（円筒部２２）の内側に挿入して組み立てる。この際、保持器１２を弾性変形させた保持器付きころ１４（ころ１１の外接円Ｔ）は、つば２１の内周面（前記内接円Ｓ）よりも小さい輪郭形状となる。保持器付きころ１４は、つば２１を通過すると、保持器１２の弾性復元力によって元の状態に戻る。このようにして組み立てられた軸受１０では、保持器付きころ１４が外輪１３から軸方向に脱落するのを、つば２１によって防止することができる。
【００３２】
前記の各組み立て方法によれば、外輪１３の製造、つまり、つば２１を形成するための曲げ加工、及び、軌道面１９の硬さを高めるための熱処理を行ってから、この外輪１３に保持器１２（保持器付きころ１４）を取り付けることができる。
【００３３】
以上のように、本実施形態（図２及び図３参照）の軸受１０は、３個以上の複数のころ１１と、複数のころ１１を保持する保持器１２とを備える。全ての複数のころの中心軸を含む仮想円筒面は、第一の範囲Ｋ１、第二の範囲Ｋ２、第三の範囲Ｋ３、及び第四の範囲Ｋ４を有する。第一の範囲Ｋ１は、仮想円筒面Ｍに垂直な断面における、複数のころ１１のうちの一部である複数の第一ころ１１ａの、周方向の最も一方向側のころ１１の中心軸と、周方向の最も他方向側のころ１１の中心軸と、の間の仮想円筒面Ｍ上の範囲であって、周方向の最も一方向側のころ１１と周方向の最も他方向側のころ１１との間に第一の範囲Ｋ１の他のころ１１が入っている側の範囲である。第二の範囲Ｋ２は、仮想円筒面Ｍに垂直な断面における、複数のころ１１のうちの他部である一つの第二ころ１１ｂの、ころ１１ｂの中心軸の仮想円筒面Ｍ上の範囲であり、第一の位置である。第二の範囲Ｋ２は、仮想円筒面Ｍの中心軸Ｃ０を基準として第一の範囲Ｋ１と反対側の範囲である。第三の範囲Ｋ３は、第一の範囲Ｋ１の周方向一方側と第二の範囲Ｋ２との間であってころ１１が設けられていない範囲である。第四の範囲Ｋ４は、第一の範囲Ｋ１の周方向他方側と第二の範囲Ｋ２との間であってころ１１が設けられていない範囲である。
【００３４】
この軸受１０によれば、次に説明するとおり、一方向のラジアル荷重（図１において矢印Ｆ）を支持する機能を損なうことなく、軸受１０の構成の簡素化が図れる。すなわち、本実施形態では、軸受１０が設置されるロッカーアーム５０の揺動角度は小さく、ロッカーアーム５０の胴体５２から軸受１０にラジアル荷重（図１において矢印Ｆ）が作用する。ここで、図５において、作用する前記ラジアル荷重を「矢印Ｆ」で示す。本実施形態では、このラジアル荷重（矢印Ｆ）の作用線Ａを第一の範囲Ｋ１及び第二の範囲Ｋ２が跨ぐようにして、ロッカーアーム５０に軸受１０が配置される。つまり、軸受１０におけるラジアル荷重（矢印Ｆ）による負荷圏部に、第一の範囲Ｋ１が設定され、仮想円筒面の中心軸（ロッカーアーム５０の中心軸）Ｃ０を基準として１８０°反対側である反負荷圏部に、第二の範囲Ｋ２が設定される。このため、軸受１０はラジアル荷重（矢印Ｆ）を支持することができる。そして、ロッカーアーム５０の揺動角度は小さいため、胴体５２が揺動しても、軸受１０においてラジアル荷重（矢印Ｆ）が作用する範囲は狭い。そこで、ラジアル荷重（矢印Ｆ）が作用する範囲以外に、第三の範囲Ｋ３及び第四の範囲Ｋ４が含まれるようにすればよい。このように、本実施形態の軸受１０は、ロッカーアーム５０における保持器付きころ１４（及び外輪１３）の取り付けに関して、周方向の方向性を有しており、負荷圏部以外の領域（第三の範囲Ｋ３及び第四の範囲Ｋ４）において、ころ１１を省略している。つまり、軸受１０は、周方向の全周ではなく一部にのみころ１１が配置された構成を有しており、ころ１１の数が低減されている。これにより、軸受１０の構成が簡素化される。そして、このように、ころ１１が設けられていない領域（第三の範囲Ｋ３及び第四の範囲Ｋ４）が存在していても、前記ラジアル荷重（矢印Ｆ）を支持することが可能となる。
【００３５】
第一の範囲Ｋ１（前記負荷圏部）に、複数のころ１１が設けられる。例えば、二個以上のころ１１が前記負荷圏部に設けられる。そして、第二の範囲Ｋ２（前記反負荷圏部）に、少なくとも一個のころ１１が設けられる。反負荷圏部のころ１１は、すきま調整用として機能する。
【００３６】
本実施形態では、外輪１３はストッパ部２３を有する。ストッパ部２３は、保持器１２に設けられたスリット１８の形成位置に対応して（位相をあわせて）設けられている。保持器１２がロッカーアーム５０の中心軸Ｃ０回りに回転すると保持器１２の一部（リム部１５の周方向の端部２４、図６参照）と接触する。この構成により、外輪１３に対する保持器１２の周方向の変位が制限される。このため、ロッカーアーム５０はロッカーアーム５０の中心軸Ｃ０を中心として所定の揺動角度で揺動し、保持器１２もこの揺動角度よりも小さい角度で揺動するが、軸受１０は、部分的に設けられた複数のころ１１（第一ころ１１ａ）によって、ラジアル荷重（矢印Ｆ）を支持し続けることができる。
【００３７】
本実施形態では（図５参照）、軸方向視において、第一の範囲Ｋ１の周方向両側にある二つのころ１１，１１それぞれの中心軸Ｕ１，Ｕ２と、第二の範囲Ｋ２のころ１１の中心軸Ｕ３とを結ぶ仮想三角形Ｑを、ロッカーアーム５０の中心軸（仮想円筒面の中心軸）Ｃ０が貫通するように、複数のころ１１は配置されている。
この配置は、ロッカーアーム５０の揺動によって保持器１２が所定角度で揺動しても、維持される。このため、軸受１０は前記ラジアル荷重（矢印Ｆ）を安定して支持することができる。
【００３８】
前記実施形態では、軸受１０が外輪１３を有し、外輪１３が軌道面１９を有し、この外輪１３が全体として予め（組み立て前に）熱処理される。このため、ロッカーアーム５０（図１参照）の胴体５２（貫通孔５５）に軌道面を形成する必要がなく、胴体５２に対して部分的な熱処理を行わないで済む。また、胴体５２に直線孔からなる貫通孔５５が形成されているため、この貫通孔５５に外輪１３を圧入すれば、軸受１０を胴体５２へ容易に組み付けることができる。
【００３９】
なお、軸受１０において、外輪１３は省略されてもよい。つまり、保持器付きころ１４のみによって軸受１０は構成されていてもよい。この場合、ロッカーアーム５０の胴体５２に形成されている貫通孔５５が、ころ１１が転がり接触する軌道面となる。
【００４０】
前記実施形態の保持器１２は、軸方向視においてＣ形であるが、仮想円筒面Ｍに沿った形状を有していればよく、円筒状であってもよい。
前記第三の範囲Ｋ３及び前記第四の範囲Ｋ４では、ころ１１が存在しないことから、この範囲に対応する保持器１２の部分はポケット１７も不要である。よって、図示しないが、前記第四の範囲Ｋ４（及び／又は前記第三の範囲Ｋ３）に対応する保持器の部分の内周面及び外周面は、平滑な円弧面であってもよい。
軸受１０は、ロッカーアーム５０以外にも適用可能である、揺動角度が±９０°未満である機器に本発明の軸受を適用することができる。
【００４１】
前記実施形態の第一の範囲Ｋ１は、複数のころ１１のうちの一部である３個以上の第一ころ１１ａの、仮想円筒面Ｍに垂直な断面における、周方向の最も一方向側のころ１１ａの中心軸と、周方向の最も他方向側のころ１１ａの中心軸と、の間の仮想円筒面Ｍ上の周方向の範囲であって、この第一の範囲Ｋ１の周方向の最も一方向側のころ１１ａと周方向の最も他方向側のころ１１ａとの間に第一の範囲Ｋ１の他のころ１１ａの中心軸が入っていた。しかし、本発明の第一の範囲Ｋ１は、複数のころ１１のうちの一部である２個の第一ころ１１ａの、仮想円筒面Ｍに垂直な断面における、周方向の一方向側のころ１１ａの中心軸と、周方向の他方向側のころ１１ａの中心軸と、の間の仮想円筒面Ｍ上の周方向の範囲であって、周方向の一方向側のころ１１ａの中心軸と仮想円筒面Ｍの中心軸とがなす半直線と、周方向の他方向側のころ１１ａの中心軸と仮想円筒面Ｍの中心軸とがなす半直線と、がなす劣角側の仮想円筒面Ｍ上の周方向の範囲であってもよい。
【００４２】
前記実施形態の第二の範囲Ｋ２は、複数のころ１１のうちの他部である１個の第二ころ１１ｂの中心軸の位置（範囲）であった。しかし、本発明の第二の範囲Ｋ２は、複数のころ１１のうちの他部である２個の第二ころ１１ｂの、仮想円筒面Ｍに垂直な断面における、周方向の一方向側のころ１１ｂの中心軸と、周方向の他方向側のころ１１ｂの中心軸と、の間の仮想円筒面Ｍ上の周方向の範囲であって、周方向の一方向側のころ１１ｂの中心軸と仮想円筒面Ｍの中心軸とがなす半直線と、周方向の他方向側のころ１１ｂ中心軸と仮想円筒面Ｍの中心軸とがなす半直線と、がなす劣角側の仮想円筒面Ｍ上の周方向の範囲であってもよい。さらに、本発明の第二の範囲Ｋ２は、複数のころ１１のうちの他部である３個以上の第二ころ１１ｂの、仮想円筒面Ｍに垂直な断面における、周方向の一方向側のころ１１ｂの中心軸と、周方向の他方向側のころ１１ｂの中心軸と、の間の仮想円筒面Ｍ上の周方向の範囲であって、この第二の範囲Ｋ２の周方向の最も一方向側のころ１１ｂと周方向の最も他方向側のころ１１ｂとの間に第二の範囲Ｋ２の他のころ１１ｂの中心軸が入っていてもよい。いずれにおいても、第一の位置は、第二の範囲Ｋ２の仮想円筒面上の位置の少なくとも一カ所の位置であればよい。
【００４３】
他の観点から見た前記軸受１０は次のとおりである。すなわち、軸受１０は、複数のころ１１と、仮想円筒面Ｍに沿った形状を有し前記ころ１１を保持するポケット１７が設けられた保持器１２と、を備え、前記複数のころ１１のうちの一部である第一ころ１１ａが設けられた第一領域と、保持器中心軸を基準として前記第一領域と反対側の領域であって、前記複数のころ１１のうちの残りの第二ころ１１ｂが設けられた第二領域と、前記第一領域の周方向一方側と前記第二領域との間であって前記ころ１１が設けられていない領域であり、少なくとも一つの前記ポケット１７に相当する前記仮想円筒面Ｍに沿った寸法よりも大きい第三領域と、前記第一領域の周方向他方側と前記第二領域との間であって前記ころ１１が設けられていない領域であり、少なくとも一つの前記ポケット１７に相当する前記仮想円筒面Ｍに沿った寸法よりも大きい第四領域と、を有する。
前記軸受１０が設置される部品（ロッカーアーム５０）が小さく揺動し、当該部品から軸受１０にラジアル荷重が作用する場合、前記第一領域及び前記第二領域が前記ラジアル荷重の作用線を跨ぐようにして、軸受１０を当該部品に配置することで、軸受１０は前記ラジアル荷重を支持することができる。そして、揺動の角度が小さいため、軸受１０にラジアル荷重が作用する範囲は狭い。よって、この範囲以外に、前記第三領域及び前記第四領域が含まれるようにすればよい。以上より、前記軸受１０によれば、ころ１１の数を低減して構成の簡素化が可能であり、ころ１１が設けられていない領域（第三領域及び第四領域）が存在していても、ラジアル荷重を支持することが可能となる。
第三領域及び第四領域はそれぞれ周方向（仮想円筒面Ｍ）に沿って第二領域よりも広い。第三領域に前記スリット１８が含まれる。第三領域の仮想円筒面Ｍに沿った寸法は、少なくとも一つのポケットに相当する仮想円筒面Ｍに沿った寸法よりも大きい。第四領域の仮想円筒面Ｍに沿った寸法は、少なくとも一つのポケット１７に相当する仮想円筒面Ｍに沿った寸法よりも大きい。
【００４４】
今回開示した実施形態はすべての点で例示であって制限的なものではない。本発明の権利範囲は、上述の実施形態に限定されるものではなく、特許請求の範囲の範囲に記載された構成と均等の範囲内でのすべての変更が含まれる。
【符号の説明】
【００４５】
１０：軸受                １１：ころ                １１ａ：第一ころ
１１ｂ：第二ころ          １２：保持器              １７：ポケット
１８：スリット            １９：軌道面              ２１：つば
２３：ストッパ部          ５０：ロッカーアーム      ５１：ロッカーシャフト
５２：胴体                ５３：ローラ              ５４：接触体
５５：貫通孔              Ｃ０：ロッカーアームの中心軸（仮想円筒面の中心軸）
Ｃ１：保持器中心軸        Ｋ１：第一の範囲             Ｋ２：第二の範囲
Ｋ３：第三の範囲          Ｋ４：第四の範囲          Ｍ：仮想円筒面
Ｓ：内接円                Ｔ：外接円                Ｕ１：中心軸
Ｕ２：中心軸              Ｕ３：中心軸              Ｑ：仮想三角形
ｅ１１：円弧の仮想円筒面上の周方向の長さ
ｅ１３：円弧の仮想円筒面上の周方向の長さ
【図１】
2020003044.tif 000003
【図２】
2020003044.tif 000004
【図３】
2020003044.tif 000005
【図４】
2020003044.tif 000006
【図５】
2020003044.tif 000007
【図６】
2020003044.tif 000008
【図７】
2020003044.tif 000009
【図８】
2020003044.tif 000010
【図９】
2020003044.tif 000011
【図１０】
2020003044.tif 000012